(57)【要約】【課題】照明負荷の光出力を制御するにあたり、照度センサにより検知した照度を一定に保つ制御と、調光レベルを遠方から指示する制御とを可能とする。【解決手段】伝送信号処理部３２は信号線を時分割多重伝送方式で伝送される伝送信号を受ける。調光信号処理部３３は照明負荷の光出力を指示するための調光信号を発生する。制御処理部３０は、伝送信号処理部３２を通して受信した伝送信号が調光制御用のアドレスに一致すると伝送信号で与えられた調光レベルに対応する調光信号を調光信号処理部３２から発生させる第１制御モードと、照度センサ３１により検知される照度が記憶部３４に設定された設定照度を保つように照度センサ３１により検知される照度に応じた調光信号を調光信号処理部３２から発生させる第２制御モードとの選択が可能になっている。【選択図】　　　　図１
2004119156.tif 000002
【特許請求の範囲】
【請求項１】
それぞれアドレスを備える複数台の端末器が信号線に接続されるとともに、信号線に接続された伝送ユニットと前記各端末器との間で時分割多重伝送方式により伝送信号が授受され、伝送ユニットにおいてアドレスの対応関係を設定した関係データを用いていずれかの端末器への監視入力に対応させて他の端末器により照明負荷を制御する遠隔監視制御システムに用いる端末器であって、伝送信号を授受する伝送信号処理部と、照明負荷の光出力を指示するための調光信号を発生する調光信号処理部と、照度を検知する照度センサと、アドレスが設定されるアドレス記憶部と、伝送信号処理部を通して受信した伝送信号に含まれるアドレスがアドレス記憶部に設定された調光制御用のアドレスに一致するときに伝送信号で与えられた調光レベルに対応する調光信号を調光信号処理部から発生させる第１制御モードと照度センサにより検知される照度が別途設定された設定照度を保つように照度センサにより検知される照度に応じた調光信号を調光信号処理部から発生させる第２制御モードとが選択可能である制御処理部とを備えることを特徴とする遠隔監視制御システムの照度センサ付き端末器。
【請求項２】
前記アドレス記憶部に制御モード選択用のアドレスが設けられ、前記制御処理部は、前記伝送信号に含まれるアドレスが制御モード選択用のアドレスに一致すると、伝送信号におけるオンとオフとの指示を第１制御モードと第２制御モードとの選択に用いることを特徴とする請求項１記載の遠隔監視制御システムの照度センサ付き端末器。
【請求項３】
前記設定照度を格納する照度記憶部が設けられ、前記アドレス記憶部には照度記憶部への設定照度の書込用のアドレスが設けられ、前記制御処理部は、設定照度の書込用のアドレスに一致するアドレスを含む伝送信号によってオンが指示されると規定の調光レベルで照明負荷を点灯させて照度センサで検知した照度を設定照度として照度記憶部に格納することを特徴とする請求項１または請求項２記載の遠隔監視制御システムの照度センサ付き端末器。
【請求項４】
前記制御処理部は、設定照度の書込用のアドレスに一致するアドレスを含む伝送信号によってオンが指示され照明負荷を点灯させた後に設定照度を照度記憶部に格納する前に、設定照度の書込用のアドレスに一致するアドレスを含む伝送信号によってオフが指示されると設定照度の設定を中止することを特徴とする請求項３記載の遠隔監視制御システムの照度センサ付き端末器。
【請求項５】
前記制御処理部は、設定照度の書込用のアドレスに一致するアドレスを含む伝送信号によってオンが指示され照明負荷を点灯させた後に設定照度を照度記憶部に格納する前に、伝送信号によって調光レベルが与えられると調光レベルにより変更された照度を設定照度として前記照度記憶部に格納することを特徴とする請求項３記載の遠隔監視制御システムの照度センサ付き端末器。
【請求項６】
前記設定照度が複数段階に設定され、前記アドレス記憶部に設定照度の選択用アドレスが設けられ、前記制御処理部は、前記伝送信号に含まれるアドレスが設定照度の選択用アドレスに一致すると伝送信号における指示により設定照度を選択することを特徴とする請求項１ないし請求項５のいずれか１項に記載の遠隔監視制御システムの照度センサ付き端末器。
【発明の詳細な説明】
【０００１】
【発明の属する技術分野】
本発明は、照明負荷を遠方から監視制御する遠隔監視制御システムの照度センサ付き端末器に関するものである。
【０００２】
【従来の技術】
従来から、図５に示すように、伝送ユニット４１に２線式の信号線Ｌｓを介して複数個の端末器４２，４３を接続し、いずれかの端末器（以下では、操作端末器という）４２に監視入力が入力されると他の端末器（以下では、制御端末器という）４３に設けたリレー（図示せず）を介して負荷（図示例では後述する照明器具１０が負荷になる）を制御するようにした遠隔監視制御システムが提供されている。監視入力はスイッチの操作やセンサの出力に対応させて発生される。操作端末器４２および制御端末器４３にはそれぞれアドレスが設定され、スイッチの操作などに対応して発生する監視入力が操作端末器４２に入力されると伝送ユニット４１には監視入力に対応する監視データが伝送され、伝送ユニット４１では監視データを受け取ると、アドレスによって操作端末器４２との対応関係が設定された制御端末器４３に対して監視データに対応した制御データを伝送し、制御端末器４３を介して負荷を制御する。伝送ユニット４１、操作端末器４２、制御端末器４３はいずれもマイクロコンピュータを備えている。
【０００３】
伝送ユニット４１は信号線Ｌｓに対して、図７（ａ）（ｂ）のような形式の伝送信号Ｖｓを送出する。すなわち、伝送信号Ｖｓは、信号送出開始を示すスタートパルス信号ＳＹ、信号モードを示すモードデータ信号ＭＤ、操作端末器４２や制御端末器４３を各別に呼び出すためのアドレスデータを伝送するアドレスデータ信号ＡＤ、負荷を制御するための制御データを伝送する制御データ信号ＣＤ、伝送エラーを検出するためのチェックサムデータ信号ＣＳ、操作端末器４２や制御端末器４３からの返送信号を受信するタイムスロットである信号返送期間ＷＴよりなる複極（±２４Ｖ）の時分割多重信号であり、パルス幅変調によってデータが伝送されるようになっている。
【０００４】
各操作端末器４２および各制御端末器４３では、信号線Ｌｓを介して受信した伝送信号Ｖｓのアドレスデータがそれぞれに設定されているアドレスデータに一致すると、伝送信号Ｖｓから制御データを取り込むとともに、伝送信号Ｖｓの信号返送期間ＷＴに同期して監視データを電流モードの信号（信号線Ｌｓを適当な低インピーダンスを介して短絡することにより送出される信号）として返送する。
【０００５】
また、伝送ユニット４１は、常時は伝送信号Ｖｓに含まれるアドレスデータをサイクリックに変化させて操作端末器４２および制御端末器４３を順次アクセスする常時ポーリングを行う常時ポーリング手段が設けられる。常時ポーリングの際には、伝送信号Ｖｓに含まれるアドレスデータが一致した操作端末器４２または制御端末器４３では、伝送信号Ｖｓに含まれる制御データを取り込むことになる。一方、伝送ユニット４１には、いずれかの操作端末器４２から発生した図７（ｃ）のような割込信号Ｖｉを受信したときに割込信号を発生した操作端末器４２を検出した後、その操作端末器４２にアクセスして監視データを返送させる割込ポーリング手段も設けられている。
【０００６】
すなわち、伝送ユニット４１では、常時は常時ポーリング手段によってアドレスデータをサイクリックに変更した伝送信号Ｖｓを信号線Ｌｓに送出しており、操作端末器４２から発生した割込信号Ｖｉを伝送信号Ｖｓのスタートパルス信号ＳＹに同期して検出すると、割込ポーリング手段によって伝送ユニット４１からモードデータ信号ＭＤを割込ポーリングモードとした伝送信号Ｖｓを送出する。割込信号Ｖｉを発生した操作端末器４２は、割込ポーリングモードの伝送信号Ｖｓのアドレスデータの上位ビットが一致していると、その伝送信号Ｖｓの信号返送期間ＷＴに同期して操作端末器４２に設定されているアドレスデータの下位ビットを返信データとして返送する。このようにして伝送ユニット４１では割込信号Ｖｉを発生した操作端末器４２のアドレスを獲得し、獲得したアドレスを用いて操作端末器４２をアクセスすることによって、操作端末器４２に入力された監視入力に対応する監視データを返信データとして受け取る。また、伝送ユニット４１における割込ポーリング手段では、割込信号Ｖｉを発生した操作端末器４２から下位アドレスが返送されなければ、上位アドレスを変更して割込ポーリングモードの伝送信号Ｖｓを再送する。
【０００７】
このようにして、割込信号Ｖｉを発生した操作端末器４２のアドレスを伝送ユニット４１が獲得すると、伝送ユニット４１では操作端末器４２に対して監視データの返送を要求する伝送信号Ｖｓを送出し、操作端末器４２は監視入力に対応した監視データを伝送ユニット４１に返送する。監視データを受け取った伝送ユニット４１は、アドレスの対応関係によって操作端末器４２に予め対応付けられている制御端末器４３に対する制御データを生成し、この制御データを含む伝送信号Ｖｓを信号線Ｌｓに送出して制御端末器４３を通して負荷を制御する。ここで、操作端末器４２と制御端末器４３とのアドレスは、端末器を単位として設定されるチャンネルと、監視入力および負荷の回路を識別する負荷番号との組であって、現状の製品ではチャンネルは６４チャンネル、負荷番号は各チャンネルに対して４回路ずつ設定可能になっている。つまり、各操作端末器４２および各制御端末器４３にチャンネルが設定され、各操作端末器４２には最大で４個の監視入力を入力可能であり、各制御端末器４３には最大で４個の負荷が接続可能になっている。したがって、合計２５６回路の負荷が制御可能である。ここに、監視入力と負荷との回路とは、アドレスの対応関係によって関係付けられた監視入力と負荷との組を意味し、監視入力の入力に対応して制御される負荷が１つの回路を構成する。
【０００８】
上述のような監視入力と負荷との対応関係は、伝送ユニット４１のメモリに関係データとして設定される。すなわち、施工時には、各操作端末器４２および各制御端末器４３へのアドレスの設定が終了した後、監視入力と負荷との対応関係を関係データとして設定することによって、監視入力の入力に対して所望の負荷を制御することが可能になる。
【０００９】
上述した遠隔監視制御システムでは、負荷として調光可能な照明負荷を用いるとき照明負荷の調光制御も可能になっている。この場合、操作端末器４２としては、照明負荷のオンオフを指示するオンオフスイッチのほかに調光レベルを増大させるアップスイッチおよび調光レベルを減少させるダウンスイッチを備える調光操作端末器を設け、制御端末器４３としては、調光操作端末器でのアップスイッチとダウンスイッチとの操作により設定された調光レベルに応じた調光信号を発生する調光制御端末器を設ける。調光操作端末器においてアップスイッチまたはダウンスイッチを操作することにより設定される調光レベルは、伝送信号Ｖｓの制御データＣＤを用いて調光制御端末器に伝送される。したがって、調光制御端末器では、調光操作端末器の操作で設定された調光レベルに応じた調光信号を出力し、この調光信号を調光制御が可能な照明器具に与えることによって、照明器具からの光出力を制御することが可能になる。
【００１０】
ところで、最近ではオフィスなどにおいて照明に関する省エネルギを実現するために、自然光と照明光とを合わせた作業面照度を一定に保つように照明負荷の光出力を制御する技術が提案されている。すなわち、天井に配置した照度センサに作業面付近から入射する光量（照度値）を監視し、照度センサで得られる照度値が設定照度に保たれるように照明負荷の光出力を調光する構成が考えられている。照度センサは照明器具ごとに設けるものと複数台の照明器具で共用するために照明器具と分離した構成のものとが知られている。照明器具と照度センサとを分離した構成では、照明器具の光出力を指示する調光信号を照度センサで検知した照度に応じて発生させるために照度センサを内蔵したコントローラが設けられる。
【００１１】
しかして、照度センサを備えるコントローラから調光信号を受けて光出力を制御する技術と、遠隔監視制御システムを用いた調光制御の技術とを組み合わせて用いることが考えられている。たとえば、店舗照明においては、常時はコントローラによって照明負荷を制御することにより店内の照度を一定に保ち、開店前や閉店後には照明負荷の遠隔制御により照明負荷の光出力を低減することによって省エネルギを図ることができる。また、オフィス照明においては、常時はコントローラによって照明負荷を制御することにより作業面照度を一定に保ち、オフィスに人がいない時間帯（昼休みや休日など）には照明負荷の遠隔制御により光出力を適宜に調節することによって省エネルギを図ることができる。
【００１２】
この種の用途に用いるために、内蔵した照度センサにより検知した照度に応じて照明負荷を制御するだけではなく、外部から入力される制御信号に連動させて照明負荷を制御することも可能にしたコントローラが提供されている。上述したようにコントローラからは調光信号が出力されるから、コントローラに対応する照明器具１０としては、図５に示すように、商用電源ＡＣからの電源を供給する電源線Ｌｐが接続される電源端子１１と、外部から調光信号を入力するための調光信号線Ｌｄが接続される調光入力端子１２とを備えるものを用いる。コントローラ２０には、照明負荷（図５の例では照明器具１０）に調光信号を出力するための調光信号線Ｌｄが接続される調光出力端子２１が設けられ、さらに外部からの制御信号として無電圧接点信号（すなわち、短絡と開放との２値信号）が入力される無電圧接点入力端子２２と、外部から調光レベルを指示する外部調光信号が入力される外部調光入力端子２３とが設けられる。無電圧接点入力端子２２が開放された状態では、コントローラ２０に内蔵した照度センサで検知した照度を設定照度に保つ調光信号が調光出力端子２１から出力され、無電圧接点入力端子２２が短絡されている状態では、照度センサで検知した照度とは無関係に設定した光出力になるように調光出力端子２１から出力される調光信号が設定される。また、コントローラ２０は、外部調光入力端子２３に外部調光信号が入力されると内蔵した照度センサで検知した照度にかかわりなく調光出力端子２１から外部調光信号に対応する調光信号を出力する。ここに、照度センサで検知した照度に対する設定照度と、無電圧接点入力端子２２の短絡時における照度の設定値とは別途に設けた照度設定器からのワイヤレス信号により設定される。
【００１３】
したがって、上述した店舗照明のように、照明器具１０に与える調光信号が、照度センサで検知した照度に応じて変化する状態と、照度センサによらず設定した一定値になる状態とを選択する場合には、図５のように、リレーを内蔵した制御端末器４３を無電圧接点入力端子２２に接続する。この制御端末器４３は操作端末器４２に入力される監視入力に応じて内蔵したリレーをオンオフさせるものであって、リレーの接点のオンオフを無電圧接点信号としてコントローラ２０の無電圧接点入力端子２２に入力するのである。また、伝送ユニット４１にはタイムスケジュールを決めるタイマが内蔵されており、店舗の開店や閉店に対応する時刻において制御端末器４３のリレーのオンオフを行うようにタイムスケジュールを設定することが可能になっている。したがって、伝送ユニット４１に設定したタイムスケジュールあるいは操作端末器４２の操作によって制御端末器４３に設けたリレーの接点をオフにすれば、コントローラ２０に内蔵した照度センサで検知される照度を一定に保つように調光信号が発生し、制御端末器４３に設けたリレーの接点をオンにすれば、照度センサで検知される照度とは無関係に照明器具０の光出力が一定値に設定される。
【００１４】
一方、上述したオフィス照明のように、照明器具１０に与える調光信号が、照度センサで検知した照度に応じて変化する状態と、照度センサによらず遠隔制御によって照明器具１０の光出力を適宜に調節する状態とを選択する場合には、図６に示すように、調光制御端末器４５から出力される調光信号をコントローラ２０の外部調光入力端子２３に外部調光信号として与える。調光制御端末器４５は上述のように信号線Ｌｓを伝送される伝送信号Ｖｓにより指示された調光信号を出力するのであって、調光レベルは調光操作端末器４４により設定される。また、調光制御端末器４５には電源としてリモコントランス（商用電源ＡＣから交流２４Ｖに降圧するトランス）４６が接続される。この構成では、コントローラ２０に調光制御端末器４５から外部調光信号が入力されない期間には、内蔵した照度センサで検知した照度が設定照度に保たれるように照明器具１０への調光信号を調節し、調光制御端末器４５から外部調光信号が入力されると照度センサで検知した照度にかかわらず外部調光信号に応じた調光信号を照明器具１０に与える。
【００１５】
上述したように、照度を設定照度に保つように照明器具１０への調光信号を調節する機能と、遠隔制御によって照明器具１０への調光信号を規定する機能とを併せもたせるためには、制御端末器４３と調光制御端末器４５との一方とコントローラ２０とを組み合わせて用いる必要があり、２台の装置を併用することになるからコスト高になるという問題がある。
【００１６】
この問題を解決可能な構成としては、遠隔監視制御システムの信号線に接続可能な端末器として照度センサを内蔵した照度設定端末器を設け、調光制御端末器に接続した照明器具照度センサで検知した照度を設定照度に保つように、照度設定端末器から伝送ユニットを介して調光制御端末器に調光レベルを指示するデータを伝送する構成が知られている（たとえば、特許文献１参照）。この構成を採用すれば、調光制御端末器に対する調光レベルの指示を照度設定端末器で行うか調光操作端末器で行うかを選択することにより、照度センサで検知した照度を保つように照明器具の光出力を変化させる機能と、照度センサで検知した照度とは無関係に照明器具の光出力を指示する機能とを実現することができる。
【００１７】
【特許文献１】
特開２００１−３３８７７２号公報（第７頁、図１）
【００１８】
【発明が解決しようとする課題】
しかしながら、上述した特許文献１に記載の構成では、照度センサが照度設定端末器に設けられており、照明器具は調光制御端末器に接続されているから、照度センサで検知した照度を保つように照明器具の光出力を制御しようとすれば、伝送ユニットに接続された信号線に伝送信号を伝送しなければならない。特許文献１には、このような伝送信号は発生頻度が少ないからトラフィックはほとんど増加しない旨の記載があるが、少ないながらもトラフィックの増加を避けることはできないという問題がある。
【００１９】
本発明は上記事由に鑑みて為されたものであり、その目的は、照度センサを備え信号線を介して伝送ユニットに接続可能であって、しかも照明負荷に調光信号を与えて照明負荷の光出力を制御することができる遠隔監視制御システムの照度センサ付き端末器を提供することにある。
【００２０】
【課題を解決するための手段】
請求項１の発明は、それぞれアドレスを備える複数台の端末器が信号線に接続されるとともに、信号線に接続された伝送ユニットと前記各端末器との間で時分割多重伝送方式により伝送信号が授受され、伝送ユニットにおいてアドレスの対応関係を設定した関係データを用いていずれかの端末器への監視入力に対応させて他の端末器により照明負荷を制御する遠隔監視制御システムに用いる端末器であって、伝送信号を授受する伝送信号処理部と、照明負荷の光出力を指示するための調光信号を発生する調光信号処理部と、照度を検知する照度センサと、アドレスが設定されるアドレス記憶部と、伝送信号処理部を通して受信した伝送信号に含まれるアドレスがアドレス記憶部に設定された調光制御用のアドレスに一致するときに伝送信号で与えられた調光レベルに対応する調光信号を調光信号処理部から発生させる第１制御モードと照度センサにより検知される照度が別途設定された設定照度を保つように照度センサにより検知される照度に応じた調光信号を調光信号処理部から発生させる第２制御モードとが選択可能である制御処理部とを備えることを特徴とする。
【００２１】
請求項２の発明は、請求項１の発明において、前記アドレス記憶部に制御モード選択用のアドレスが設けられ、前記制御処理部は、前記伝送信号に含まれるアドレスが制御モード選択用のアドレスに一致すると、伝送信号におけるオンとオフとの指示を第１制御モードと第２制御モードとの選択に用いることを特徴とする。
【００２２】
請求項３の発明は、請求項１または請求項２の発明において、前記設定照度を格納する照度記憶部が設けられ、前記アドレス記憶部には照度記憶部への設定照度の書込用のアドレスが設けられ、前記制御処理部は、設定照度の書込用のアドレスに一致するアドレスを含む伝送信号によってオンが指示されると規定の調光レベルで照明負荷を点灯させて照度センサで検知した照度を設定照度として照度記憶部に格納することを特徴とする。
【００２３】
請求項４の発明は、請求項３の発明において、前記制御処理部は、設定照度の書込用のアドレスに一致するアドレスを含む伝送信号によってオンが指示され照明負荷を点灯させた後に設定照度を照度記憶部に格納する前に、設定照度の書込用のアドレスに一致するアドレスを含む伝送信号によってオフが指示されると設定照度の設定を中止することを特徴とする。
【００２４】
請求項５の発明は、請求項３の発明において、前記制御処理部は、設定照度の書込用のアドレスに一致するアドレスを含む伝送信号によってオンが指示され照明負荷を点灯させた後に設定照度を照度記憶部に格納する前に、伝送信号によって調光レベルが与えられると調光レベルにより変更された照度を設定照度として前記照度記憶部に格納することを特徴とする。
【００２５】
請求項６の発明は、請求項１ないし請求項５の発明において、前記設定照度が複数段階に設定され、前記アドレス記憶部に設定照度の選択用アドレスが設けられ、前記制御処理部は、前記伝送信号に含まれるアドレスが設定照度の選択用アドレスに一致すると伝送信号における指示により設定照度を選択することを特徴とする。
【００２６】
【発明の実施の形態】
本実施形態の照度センサ付き端末器４０は、図１に示すように、照度を検知する照度センサ３１を備えるとともに、伝送ユニット４１（図２参照）との間で伝送信号を授受する伝送信号処理部３２と、照明器具１０（図２参照）に調光信号線Ｌｄを介して調光信号を送出する調光信号処理部３３とを備える。照度センサ３１と伝送信号処理部３２と調光信号処理部３３とは、マイクロコンピュータからなる制御処理部３０に接続され、制御処理部３０にはＥＥＰＲＯＭからなる記憶部３４が接続される。記憶部３４は、最大４個のアドレス（チャンネルと負荷番号との組）を格納するアドレス記憶部および後述する設定照度を格納する照度記憶部として用いられる。また、照度センサ付き端末器４０の電源は、商用電源ＡＣ（図２参照）により供給され、電源部３５において内部電源である直流電源に電力変換される。また、赤外線を媒体とするワイヤレス信号を送受するワイヤレス送受信部３６も設けられる。伝送信号処理部３２には信号線Ｌｓを接続するための信号端子Ｔ１が設けられ、調光信号処理部３３には調光信号線Ｌｄを接続するための調光出力端子Ｔ２が設けられる。さらに、電源部３５には商用電源ＡＣを接続するための電源端子Ｔ３が設けられる。記憶部３４の内容は、照度センサ付き端末器４０とは別に設けた設定器４６からのワイヤレス信号により設定することができ、また伝送信号Ｖｓを用いて設定することも可能になっている。つまり、制御処理部３０は、設定器４６からのワイヤレス信号をワイヤレス送受信部３６で受信し、ワイヤレス信号の内容を記憶部３４に格納するか、または伝送信号処理部３２で受信した伝送信号Ｖｓに含まれる制御データＣＤの内容を記憶部３４に格納する。
【００２７】
制御処理部３０は、従来構成において説明したコントローラと同様に照度センサ３１で検知した照度を保つように設定した調光信号を調光信号処理部３３から出力させる第１制御モードと、照度センサ３１で検知した照度とは無関係に伝送信号処理部３２により受信した伝送信号に含まれる制御データＣＤにより指示される調光レベルの調光信号を調光信号処理部３３から出力させる第２制御モードとが選択可能になっている。第１制御モードにおける設定照度は記憶部３４における照度記憶部に格納されており、設定照度は必要に応じて書換可能になっている。また、設定照度は２段階に設定可能であって、照度記憶部には２種類の設定照度が格納可能になっている。さらに、照度記憶部に設定照度を格納する際に、設定器４６からのワイヤレス信号を用いか伝送信号Ｖｓを用いるかの別が選択可能になっている。第１制御モードと第２制御モードとの選択、２つの設定照度のうちのどちらを用いるかの選択、設定照度の設定時にワイヤレス信号と伝送信号Ｖｓとのうちのどちらを用いるかの選択の３種類の選択は、記憶部３４におけるアドレス記憶部の各アドレスに対応付けられている。つまり、アドレス記憶部に設定される４個のアドレスのうち、３個のアドレスは当該アドレスに対応するオンオフの状態に応じて、上述した３種類の選択の各一方の状態に対応付けられている。
【００２８】
さらに具体的に説明する。いま、アドレスを（チャンネル−負荷番号）の組として表し、照度センサ付き端末器４０のチャンネルを「０」とすると、アドレス（０−１）で制御データＣＤがオフを指示するときには第１制御モードが選択され、オンを指示するときには第２制御モードが選択される。つまり、本実施形態では、制御モード選択用のアドレスとしてアドレス（０−１）を用いている。また、アドレス（０−２）ではオンが通常の設定照度の選択を意味し、オフが別の設定照度の選択を意味する。つまり、アドレス（０−２）に対応付けてオンオフを指示すると、設定照度を２段階に切り換えることで照明環境のシーンを切り換えることができる。言い換えると、設定照度の選択用アドレスとしてアドレス（０−２）を割り付けている。さらに、アドレス（０−３）はオフがワイヤレス信号による設定照度の設定を選択したことを意味し、オンが伝送信号Ｖｓによる設定照度の設定を選択したことを意味する。アドレス（０−３）でオンを選択すると１０秒後に自動的にオフになり、オンの状態でオフに切り換えると伝送信号Ｖｓによる設定が強制的に停止される。ここに、ワイヤレス信号による設定は１台の照度センサ付き端末器４０に設定照度を個別に指示して設定する場合に用い、伝送信号Ｖｓによる設定は照度センサ付き端末器４０に自動的に設定照度を設定する場合に用いる。このように、アドレス（０−３）を設定照度の書込用のアドレスとして用いている。
【００２９】
上述した照度センサ付き端末器４０を用いるには、図２に示すように、伝送ユニット４１に接続した信号線Ｌｓに信号端子Ｔ１（図１参照）を接続するとともに、照明器具１０に設けた調光入力端子１２（図５参照）に接続した調光信号線Ｌｄに調光出力端子Ｔ２を接続する。図示する照明器具１０は、蛍光灯を光源とし点灯回路としてインバータ回路を用いたものであり、インバータ回路の動作周波数を制御することによって光出力を制御することが可能になっている。なお、インバータ回路の動作周波数つまり調光レベルは、調光信号はデューティ比によって指示される。照明器具１０の電源端子１１にはリレーを内蔵した制御端末器４３を介して商用電源ＡＣが接続され、制御端末器４３のリレーをオンオフさせることによって照明器具１０への給電のオンオフが制御される。さらに、図２に示す構成では、第１制御モードと第２制御モードとの選択および調光レベルの増減を指示する操作部を備えた調光操作端末器４４と、２段階の設定照度の一方を選択する操作端末器４２ａと、設定照度を伝送信号Ｖｓにより設定するかワイヤレス信号により設定するかを選択する操作端末器４２ｂとが設けられている。すなわち、上述したアドレスとの対応関係で説明すれば、調光操作端末器４４において第１制御モードと第２制御モードとを選択する操作部は、伝送ユニット４１の関係データによってアドレス（０−１）に対応付けられ、操作端末器４２ａ，４２ｂはそれぞれアドレス（０−２）、（０−３）に対応付けられる。
【００３０】
したがって、調光操作端末器４４の操作部で第２制御モードを選択した後（アドレス（０−１）をオンにした後）、調光レベルを増減させれば、照明器具１０の光出力を操作部によって調節することができる。ここに、第２制御モードを選択した状態では、伝送信号Ｖｓによって照明器具１０の調光レベルを制御することができるから、信号線Ｌｓにタイムスケジュールを管理する装置（端末器ではなく伝送ユニット４１を用いてもよい）を接続しておき、タイムスケジュールに従って照明器具１０の調光レベルを変化させる制御も可能である。また、操作端末器４２ａのオンオフによって２段階の設定照度の一方を選択することができる。ここに、操作端末器４２ａによりオンを選択した状態を通常の設定照度としている。さらに、操作端末器４２ｂをオンにすれば照度センサ付き端末器４０に設定照度を自動的に設定する状態を選択することができる。
【００３１】
設定照度を自動的に設定する動作についてさらに詳しく説明する。操作端末器４２ｂをオンにして伝送信号Ｖｓによる設定照度の設定を選択すると、選択された照度センサ付き端末器４０に接続されている照明器具１０を規定した調光レベルで点灯させるとともに、点灯から一定時間後（ここでは、１０秒後）に照度センサ３１で検出している照度を記憶部３４に設定照度として記憶した後に照明器具１０を消灯させる。照明器具１０を点灯させる調光レベルは、操作端末器４２ｂによる選択時には規定値（たとえば、７０％）であるが、照明器具１０の点灯から消灯までの間に、当該照度センサ付き端末器４０に対応付けられている調光操作端末器４４によって調光レベルを変更すれば、記憶部３４に記憶させる設定照度を変更することができる。なお、操作端末器４２ｂによる選択後に記憶部３４に設定照度が記憶されるまでの間に選択を解除すれば（操作端末器４２ｂでオフを指示すれば）、設定照度を記憶部３４に格納することなく、この処理をキャンセルすることができる。
【００３２】
ところで、遠隔監視制御システムでは、操作端末器４２と制御端末器４３とをアドレスによって対応付けているから、操作端末器４２の１個のアドレスに制御端末器４３の複数個のアドレスを対応付けることが可能である。このように操作側の１アドレスに制御側の複数アドレスを対応付ける方法としては、制御対象である複数台の制御端末器４３の動作を個別に異ならせることができるパターン制御と、制御対象である複数台の制御端末器４３の動作を同じにしなければならないグループ制御とがある。そこで、操作端末器４２ｂによってグループ制御の対象として照度センサ付き端末器４０を選択すれば、複数台の照度センサ付き端末器４０において設定照度を自動的に設定する状態を選択することが可能になる。つまり、複数台の照度センサ付き端末器４０において設定照度を一斉に設定することが可能になる。このとき、調光制御端末器４４によってもグループ制御を可能としておけば、１台の調光制御端末器４４を用いて複数台の照度センサ付き端末器４０の設定照度を変更することが可能になる。
【００３３】
上述した照度センサ付き端末器４０は天井に取り付けて使用されるものであり、図３に示す形状の器体５０を備える。つまり、器体５０は全体としては円筒形であって、一方の底面（下面）の周囲に外周形が円形である外鍔５１が延設され、他方の底面（上面）に端子台が露出する。端子台には信号端子Ｔ１と調光出力端子Ｔ２と電源端子Ｔ３とが設けられ、信号端子Ｔ１および調光出力端子Ｔ２は電源端子Ｔ３とは離れて配置される。また、信号端子Ｔ１には端子ねじを備えるねじ付き端子が用いられ、調光出力端子Ｔ２と電源端子Ｔ３とには速結端子（器体５０に設けた電線挿入孔から挿入された電線を板ばねのばね力によって電線を保持する構造の端子）が用いられる。さらに、信号端子Ｔ１および調光出力端子Ｔ２を覆う端子カバー５２ａと、電源端子Ｔ３を覆う端子カバー５２ｂとが器体５０に着脱可能に取着される。
【００３４】
器体５０の両側面には板ばねである一対の取付ばね５３の一端部がそれぞれ結合されており、両取付ばね５３は外力が作用していない状態では先端部同士の距離が広くなっている。つまり、各取付ばね５３はそれぞれ下端が器体５０に結合され、上端に向かって器体５０から離れるように斜め上方に傾斜した形で配置される。各取付ばね５３の中間部であって下端寄りの部位（天井材の厚み程度の距離）には器体５０から離れる向きに屈曲させた屈曲部５３ａが形成されている。器体５３の下面には、照度センサ３１に外光を導くセンサ窓５４が中央部に形成され、センサ窓５４の周囲にはワイヤレス送受信部３６に対応した送受信窓５５、ワイヤレス信号の受信を表示する受信表示灯５６、電源供給を示す電源表示灯５７などが配置される。
【００３５】
この器体５０を天井に取り付けるに際しては、図４に示すように、器体５０を挿入できる取付孔ＨＬを天井材ＣＬに形成し、天井材ＣＬの下面であって取付孔ＨＬの周部に外鍔５１を当接させる。ここで、取付孔ＨＬに取付ばね５３を挿入しておくことによって取付ばね５３に互いの先端部を引き離す向きのばね力が生じ、天井材ＣＬに器体５０を取り付けることができる。ここに、取付ばね５３には屈曲部５３ａが形成されているから、屈曲部５３ａが天井材ＣＬに係止されることによって器体５０の天井材ＣＬへの取付強度が大きくなる。このような構造で器体５０を天井材ＣＬに取り付けることで、天井材ＣＬへの着脱が簡単になる。なお、図４に示すように、取付ばね５３の先端部に引掛片５３ｂを形成し、器体５０を引き下げたときに引掛片５３ｂが天井材ＣＬに係止されるようにしておくことで、器体５０を天井材ＣＬに仮保持させたり器体５０の天井材ＣＬからの落下を防止したりすることができる。
【００３６】
【発明の効果】
請求項１の発明は、それぞれアドレスを備える複数台の端末器が信号線に接続されるとともに、信号線に接続された伝送ユニットと各端末器との間で時分割多重伝送方式により伝送信号が授受され、伝送ユニットにおいてアドレスの対応関係を設定した関係データを用いていずれかの端末器への監視入力に対応させて他の端末器により照明負荷を制御する遠隔監視制御システムに用いる端末器であって、伝送信号を授受する伝送信号処理部と、照明負荷の光出力を指示するための調光信号を発生する調光信号処理部と、照度を検知する照度センサと、アドレスが設定されるアドレス記憶部と、伝送信号処理部を通して受信した伝送信号に含まれるアドレスがアドレス記憶部に設定された調光制御用のアドレスに一致するときに伝送信号で与えられた調光レベルに対応する調光信号を調光信号処理部から発生させる第１制御モードと照度センサにより検知される照度が別途設定された設定照度を保つように照度センサにより検知される照度に応じた調光信号を調光信号処理部から発生させる第２制御モードとが選択可能である制御処理部とを備えるものであり、時分割伝送方式の伝送信号を授受する伝送信号処理部を設けて伝送ユニットに接続可能とし、第１制御モードでは信号線を通して伝送信号により受け取った調光レベルに対応した調光信号を生成し、第２制御モードでは照度センサにより検知される照度に応じた調光信号を生成するから、照度センサで検知した照度が一定に保たれるように照明負荷の光出力を制御することと、伝送信号により伝送された任意の調光レベルに対応するように照明負荷の光出力を調節することとの両方の動作が可能になる。しかも、照度センサにより検知される照度を一定に保つために伝送信号を用いないから、伝送線上のトラフィックが増加することはない。
【００３７】
請求項２の発明は、請求項１の発明において、アドレス記憶部に制御モード選択用のアドレスが設けられ、制御処理部は、伝送信号に含まれるアドレスが制御モード選択用のアドレスに一致すると、伝送信号におけるオンとオフとの指示を第１制御モードと第２制御モードとの選択に用いるので、伝送信号によって制御モード選択用のアドレスを指定してオンとオフとの指示を行うだけで、第１制御モードと第２制御モードとの切換が可能であって、第１制御モードと第２制御モードとの切換を遠方から行うことが可能である。したがって、第１制御モードと第２制御モードとをタイムスケジュールに従って切り換えるなどの動作が可能になり利便性が高まる。
【００３８】
請求項３の発明は、請求項１または請求項２の発明において、設定照度を格納する照度記憶部が設けられ、アドレス記憶部には照度記憶部への設定照度の書込用のアドレスが設けられ、制御処理部は、設定照度の書込用のアドレスに一致するアドレスを含む伝送信号によってオンが指示されると規定の調光レベルで照明負荷を点灯させて照度センサで検知した照度を設定照度として照度記憶部に格納するものであり、第２制御モードにおいて用いる設定照度を自動的に設定することが可能になり、設定照度の設定を省力化することができる。
【００３９】
請求項４の発明は、請求項３の発明において、制御処理部は、設定照度の書込用のアドレスに一致するアドレスを含む伝送信号によってオンが指示され照明負荷を点灯させた後に設定照度を照度記憶部に格納する前に、設定照度の書込用のアドレスに一致するアドレスを含む伝送信号によってオフが指示されると設定照度の設定を中止するので、設定照度を自動的に設定する処理を一旦選択しても中止することが可能になる。
【００４０】
請求項５の発明は、請求項３の発明において、制御処理部は、設定照度の書込用のアドレスに一致するアドレスを含む伝送信号によってオンが指示され照明負荷を点灯させた後に設定照度を照度記憶部に格納する前に、伝送信号によって調光レベルが与えられると調光レベルにより変更された照度を設定照度として照度記憶部に格納するので、設定照度を自動的に設定する際に必要に応じて設定照度を変更することができる。
【００４１】
請求項６の発明は、請求項１ないし請求項５の発明において、設定照度が複数段階に設定され、アドレス記憶部に設定照度の選択用アドレスが設けられ、制御処理部は、伝送信号に含まれるアドレスが設定照度の選択用アドレスに一致すると伝送信号における指示により設定照度を選択するので、伝送信号によって遠方から指示して設定照度を切り換えることができる。このことは、たとえばタイムスケジュールに従って設定照度を切り換えることを可能とするから、照明空間の明るさを時間帯別に変更することが可能になる。
【図面の簡単な説明】
【図１】本発明の実施形態を示すブロック図である。
【図２】同上の使用例を示す構成図である。
【図３】同上の外観を示し、（ａ）は下面図、（ｂ）は側面図、（ｃ）は平面図である。
【図４】同上の使用例を示す説明図である。
【図５】従来の結線例を示す構成図である。
【図６】従来の他の結線例を示す構成図である。
【図７】遠隔監視制御システムの動作説明図である。
【符号の説明】
１０　照明負荷
３０　制御処理部
３１　照度センサ
３２　伝送信号処理部
３３　調光信号処理部
３４　記憶部
４１　伝送ユニット
４２　操作端末器
４２ａ　操作端末器
４２ｂ　操作端末器
４３　制御端末器
Ｌｓ　信号線
Ｖｓ　伝送信号
【図１】
2004119156.tif 000003
【図２】
2004119156.tif 000004
【図３】
2004119156.tif 000005
【図４】
2004119156.tif 000006
【図５】
2004119156.tif 000007
【図６】
2004119156.tif 000008
【図７】
2004119156.tif 000009